(57)【要約】【課題】ピン孔内でピンが不用意に転動変位することを防ぐことができ、鍵をシリンダの鍵穴内へスムーズに挿入できて実用的なシリンダ構造を提供する。【解決手段】シリンダ構造は、シリンダ１及びピン２を備える。シリンダ１は、鍵を挿入して回す鍵穴１１を有する。シリンダ１上には、複数のピン孔１２が軸方向で少なくとも１列に形成される。ピン孔１２は、鍵穴１１に至るように穿設される。ピン孔１２の外縁の少なくとも一側には平面状の当接端面１２１が形成される。ピン２は、シリンダ１のピン孔１２に対応するように設置される。シリンダ１のピン孔１２の外縁の少なくとも一側には、ピン２の当接端面２１に対応した平面状の当接端面１２１が形成されている。ピン孔１２及びピン２は、矩形状に形成されている。【選択図】図１
0003188951.tif 000002
【実用新案登録請求の範囲】
【請求項１】
シリンダ及びピンを備えたシリンダ構造であって、
前記シリンダは、鍵を挿入して回す鍵穴を有し、前記シリンダ上には、複数のピン孔が軸方向に少なくとも１列、形成され、前記ピン孔は、前記鍵穴に至るように穿設され、前記ピン孔の外縁の少なくとも一側には平面状の当接端面が形成され、
前記ピンは、前記シリンダの前記ピン孔に対応するように設置され、前記シリンダの前記ピン孔の外縁の少なくとも一側には、前記ピンの前記当接端面に対応した平面状の当接端面が形成されていることを特徴とする、
シリンダ構造。
【請求項２】
前記ピン孔及び前記ピンは、矩形状に形成されていることを特徴とする請求項１に記載のシリンダ構造。
【考案の詳細な説明】
【技術分野】
【０００１】
本考案は、シリンダ構造に関し、特に、ピン孔内でピンが不用意に転動変位することを防ぎ、鍵をシリンダの鍵穴内へスムーズに挿入することができるため実用的なシリンダ構造に関する。
【背景技術】
【０００２】
一般によく見かけるシリンダ構造は、鍵を挿入して回す鍵穴を有し、シリンダ上には軸方向に少なくとも１列の複数のピン孔が配列され、ピン孔が鍵穴に至るように穿設され、ピン孔内にピンが収容され、シリンダの外縁には、各ピン孔に対応するように軸方向に槽孔が形成されている。
槽孔内には、各ピンに対応したロック片が配設され、シリンダの鍵穴中に鍵が挿入されないとき、鍵片は、槽孔の外側に突出されてシリンダのハウジングに係合され、シリンダが回動しなくなって施錠される。鍵がシリンダの鍵穴中に挿入されると、鍵上のロック歯が各ピン孔内のピンに対応して配列し、組み合わされ、各ピンを駆動するとロック片が槽孔内で可動自在に押圧され、鍵を回すとシリンダが回動されて解錠される。
【０００３】
図５に示すように、従来のシリンダ構造のシリンダ４は、軸方向に少なくとも１列に配列された複数のピン孔４１を有する。各ピン孔４１は、円弧状に形成され、その内部に円弧状のピン４２が収容される。
【０００４】
従来のシリンダは鍵を用いて各ピンを駆動し、ロック片の移動を制御することができたが、実際に操作する際、シリンダ上の各鍵穴が円弧状であるため、各ピン孔中に収容されるピンも円弧状であり、この円弧状のピンは、円弧状の鍵穴中にスムーズに収容されて転動変位するが、鍵をシリンダの鍵穴へ挿入する際、鍵上のロック歯が各鍵穴内のピンにスムーズに対応せず、鍵穴内へ鍵をスムーズに挿入させることができない場合不便であるため、構造の改善が求められていた。
【考案の概要】
【考案が解決しようとする課題】
【０００５】
本考案の目的は、ピン孔及びピンは、外縁の少なくとも一側に平面状の当接端面が形成され、当接端面を互いに当接させて位置決めすることにより、ピン孔内でピンが不用意に転動変位することを防ぐことができる上、シリンダの鍵穴内にスムーズに鍵が挿入できて実用的なシリンダ構造を提供することにある。
【課題を解決するための手段】
【０００６】
上記課題を解決するために、本考案の第１の形態によれば、シリンダ及びピンを備えたシリンダ構造であって、前記シリンダは、鍵を挿入して回す鍵穴を有し、前記シリンダ上には、複数のピン孔が軸方向に少なくとも１列形成され、前記ピン孔は、前記鍵穴に至るように穿設され、前記ピン孔の外縁の少なくとも一側には平面状の当接端面が形成され、前記ピンは、前記シリンダの前記ピン孔に対応するように設置され、前記シリンダの前記ピン孔の外縁の少なくとも一側には、前記ピンの前記当接端面に対応した平面状の当接端面が形成されていることを特徴とするシリンダ構造が提供される。
【０００７】
前記ピン孔及び前記ピンは、矩形状に形成されていることが好ましい。
【図面の簡単な説明】
【０００８】
【図１】本考案の一実施形態に係るシリンダ構造を示す分解斜視図である。
【図２】本考案の一実施形態に係るシリンダ構造を示す平面図である。
【図３】本考案の一実施形態に係るシリンダ構造を示す分解斜視図である。
【図４】本考案の他の実施形態に係るシリンダ構造を示す平面図である。
【図５】従来のシリンダ構造を示す平面図である。
【考案を実施するための形態】
【０００９】
以下、本考案の実施形態について図に基づいて説明する。なお、これによって本考案が限定されるものではない。
【００１０】
まず、図１を参照する。図１は、本考案の一実施形態に係るシリンダ構造を示す分解斜視図である。
図１に示すように、本考案の一実施形態に係るシリンダ構造は、少なくともシリンダ１、ピン２及びロック片３から構成される。
【００１１】
シリンダ１は、鍵を挿入して回す鍵穴１１を有する。シリンダ１上には、軸方向に配列された少なくとも１列の複数のピン孔１２が形成される。ピン孔１２は、鍵穴１１に至るように穿設され、外縁の少なくとも一側に平面状の当接端面１２１が形成されている。また、シリンダ１の外縁には、各ピン孔１２に対応するように軸方向の槽孔１３が形成されている。
【００１２】
ピン２は、シリンダ１のピン孔１２に対応するように設置されると、平面状の当接端面２１が、シリンダ１のピン孔１２の外縁の少なくとも一側に形成された当接端面１２１に対応する。
【００１３】
ロック片３は、シリンダ１の槽孔１３に対応するように設置され、ピン２により支えられる。
【００１４】
図２を参照する。図２は、本考案の一実施形態に係るシリンダ構造を示す平面図である。
図２に示すように、本考案の一実施形態に係るシリンダ構造は、ピン２がシリンダ１のピン孔１２内にそれぞれ収容され、ピン２の当接端面２１とシリンダ１のピン孔１２の当接端面１２１とが当接されて位置決めし、ピン２が不用意に転動変位することを防ぐ。
ロック片３がシリンダ１の槽孔１３内に収容されると、ロック片３にピン２が当接され、常態下でロック片３が槽孔１３から外部に突出されてシリンダのハウジングに係合されてシリンダ１が転動せずに施錠状態となる。鍵がシリンダ１の鍵穴１１中に挿入されると、鍵上のロック歯が各ピン孔１２内のピン２に対応して配列が組み合わされて各ピン２が駆動され、ロック片３が槽孔１３内へ圧入され、鍵を回すとシリンダ１がそれに伴って回動されて解錠される。
【００１５】
本実施形態のシリンダ１のピン孔１２と、各ピン孔１２内に収容されたピン２とは、その外縁の少なくとも一側に形成された平面状の当接端面１２１，２１をそれぞれ有し、当接端面１２１，２１を互いに当接させて位置決めし、ピン２が不用意に転動変位することを防ぎ、ピン孔１２及びピン２は、４つの端面を有する平面状の当接端面１２１，２１を有し、ピン孔１２及びピン２を矩形状に形成し、一側又は両側に平面状の当接端面１２１，２１が形成され（図３及び図４参照）、ピン２がピン孔１２中で不用意に転動変位することを防ぐ。
【００１６】
上述したことから分かるように、本考案のシリンダ構造は、従来の構造と比べ、ピン孔及びピンの外縁の少なくとも一側に形成された平面状の当接端面を互いに当接させて位置決めし、ピン孔内でピンが不用意に転動変位することを防ぎ、シリンダの鍵穴内にスムーズに鍵を挿入できるため実用的である。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      シリンダ
２      ピン
３      ロック片
４      シリンダ
１１    鍵穴
１２    ピン孔
１３    槽孔
２１    当接端面
４１    ピン孔
４２    ピン
１２１  当接端面
【図１】
0003188951.tif 000003
【図２】
0003188951.tif 000004
【図３】
0003188951.tif 000005
【図４】
0003188951.tif 000006
【図５】
0003188951.tif 000007